(57)【特許請求の範囲】
【請求項１】
容器の口筒部に打栓されるキャップ本体と、蓋体とからなる抜栓式キャップにおいて、
キャップ本体は、口筒部に装着される装着部と、容器内の内容液を注出する注出部とを具え、
注出部は、注出筒と、注出筒の内周に連設される隔壁とを具え、
隔壁には、破断可能な薄肉の弱化部により注出口を開口する除去部が設けられ、
除去部の上面の所定の側には、開口時に除去部を引上げる支柱が立設され、支柱の上部内方には、環を縦方向に立てた状態の上下に変形可能な縦型プルリングが連設され、
縦型プルリングは、開蓋時に環のほぼ半分が注出筒の上方に出ているように形成されていることを特徴とする抜栓式キャップ。
【請求項２】
容器の口筒部に装着される中栓キャップと、容器内を密封する外キャップとからなる抜栓式キャップにおいて、
中栓キャップは、口筒部に装着されるキャップ本体と、キャップ本体と係合して開閉蓋する上キャップとを具え、
キャップ本体は、注出筒と、注出筒の下端内周に連設される隔壁と、口筒部に装着される外筒とを具え、
隔壁には、破断可能な薄肉の弱化部により注出口を開口する除去部が設けられ、
除去部の上面の所定の側には、開口時に除去部を引上げる支柱が立設され、支柱の上部内方には、環を縦方向に立てた状態の上下に変形可能な縦型プルリングが連設され、
縦型プルリングは、開蓋時に環のほぼ半分が注出筒の上方に出ているように形成され、
上キャップは、頂壁の中央に注出筒を具えていることを特徴とする抜栓式キャップ。
【請求項３】
縦型プルリングの環の横切断面形状が、円形、または楕円形であることを特徴とする請求項１または２に記載の抜栓式キャップ。
【請求項４】
縦型プルリングの環内面に、複数の滑り止め突起が配設されていることを特徴とする請求項１〜３のいずれかに記載の抜栓式キャップ。
【請求項５】
支柱が、中央から外側まで幅広に形成されていることを特徴とする請求項１〜４のいずれかに記載の抜栓式キャップ。
【発明の詳細な説明】
【技術分野】
【０００１】
本発明は、抜栓式キャップに関するものである。
【背景技術】
【０００２】
キャップの注出筒内方に設けた隔壁に、指を掛けるプルリングを支柱を介して立設した破断可能な除去部を形成し、キャップを、口筒部に装着して容器内を密封するとともに、隔壁の除去部を抜栓して開口し、内容液を注出するようにした抜栓式キャップは、従来より周知である。
【０００３】
また、環に指を掛け易くするようにしたプルリングを具えた抜栓式キャップも従来より知られている（例えば、特許文献１参照）。
【先行技術文献】
【特許文献】
【０００４】
【特許文献１】特開２００７−８４０７９号公報
【発明の概要】
【発明が解決しようとする課題】
【０００５】
しかしながら、従来周知の抜栓式キャップでは、プルリングの下に隔壁があり、プルリングの上方から指を入れていたため、プルリングと隔壁の距離が離れていないと、深く指を入れられず、指を引っ掛け易くないという問題があった。
上記特許文献１記載の抜栓式キャップでは、プルリングの形状を変化させ、指が掛かる部分を隔壁から離すようにしているが、今度は、プルリングを引っ張った際に、プルリングが変形してリングの径が大きくなるので、リングに対して指の当接面が小さくなり、力が一部分に集中し、リングが伸びたり、リングを破損して抜栓できなくなるということがあった。
また、指が掛かる部分を隔壁から離すように支柱を高くすると、支柱の強度が弱くなり、支柱が破損して抜栓できなくなるという問題があった。
【０００６】
さらに、プルリングの上方から指を入れるため、支柱を太く形成すると、支柱に指が当接して指が入らなくなるということがあり、それほど支柱を太く形成することはできなかった。
また、支柱が細いと、抜栓時に、除去部の支柱付近の一点に力が集中し、その部分の除去部が急に切り離されて開口し、裏に付いていた液が飛び散ると言うことがあった。
【０００７】
本発明は、上記問題を解決することを課題とし、隔壁までの距離に関係なく、プルリングに指を簡単に奥まで入れることができ、指を掛け易く、簡単に安定してプルリングを引っ張り、隔壁の除去部を抜栓して開口し、内容液を注出することのできる抜栓式キャップを提供することを目的とする。
【課題を解決するための手段】
【０００８】
本発明は、上記の課題を解決するため、抜栓式キャップとして、容器の口筒部に打栓されるキャップ本体と、蓋体とからなる抜栓式キャップにおいて、キャップ本体は、口筒部に装着される装着部と、容器内の内容液を注出する注出部とを具え、注出部は、注出筒と、注出筒の内周に連設される隔壁とを具え、隔壁には、破断可能な薄肉の弱化部により注出口を開口する除去部が設けられ、除去部の上面の所定の側には、開口時に除去部を引上げる支柱が立設され、支柱の上部内方には、環を縦方向に立てた状態の上下に変形可能な縦型プルリングが連設され、縦型プルリングは、開蓋時に環のほぼ半分が注出筒の上方に出ているように形成されていることを特徴とする構成を採用する。
【０００９】
抜栓式キャップの別実施例として、容器の口筒部に装着される中栓キャップと、容器内を密封する外キャップとからなる抜栓式キャップにおいて、中栓キャップは、口筒部に装着されるキャップ本体と、キャップ本体と係合して開閉蓋する上キャップとを具え、キャップ本体は、注出筒と、注出筒の下端内周に連設される隔壁と、口筒部に装着される外筒とを具え、隔壁には、破断可能な薄肉の弱化部により注出口を開口する除去部が設けられ、除去部の上面の所定の側には、開口時に除去部を引上げる支柱が立設され、支柱の上部内方には、環を縦方向に立てた状態の上下に変形可能な縦型プルリングが連設され、縦型プルリングは、開蓋時に環のほぼ半分が注出筒の上方に出ているように形成され、上キャップは、頂壁の中央に注出筒を具えていることを特徴とする構成を採用する。
【００１０】
プルリングの実施例として、縦型プルリングの環の横切断面形状が、円形、または楕円形であることを特徴とする構成、または、縦型プルリングの環内面に、複数の滑り止め突起が配設されていることを特徴とする構成を採用する。
【００１１】
支柱の実施例として、支柱が、中央から外側まで幅広に形成されていることを特徴とする構成を採用する。
【発明の効果】
【００１２】
容器口筒部に打栓されるキャップ本体の注出筒の内周に設けた隔壁に、破断可能な薄肉の弱化部により注出口を開口する除去部を形成し、除去部の上面に、環を縦方向に立てた状態の上下に変形可能な縦型プルリングが支柱を介して連設され、縦型プルリングは、開蓋時に環のほぼ半分が注出筒の上方に出ているように形成されていることにより、抜栓時に、該縦型プルリングに、指などを横方向から挿入し易くなっているので、簡単にしっかり奥まで指を入れ、指を掛け、引っ張ることができる。
【００１３】
指などを横方向から挿入する縦型プルリングにしたことで、支柱を太くしても、支柱に指が当たり、指が入らなくなるということはない。
また、支柱を太くしたことによって、支柱が切れてしまうということを防止することができ、さらに、除去部に係る引っ張り力が分散されるので、細い支柱のものに比べ、徐々に除去部を切断していくことができ、開封した際に、内容液が飛び跳ねることを防止することができる。  
【図面の簡単な説明】
【００１４】
【図１】本発明の第１実施例の抜栓式キャップの開蓋時の断面立面図である。
【図２】キャップ本体の要部の説明図で、（ａ）は上面図、（ｂ）は断面立面図である。
【図３】抜栓式キャップの閉蓋時の断面立面図である。
【図４】第１実施例の変形実施例のキャップ本体の要部の説明図で、（ａ）は上面図、（ｂ）は断面立面図である。
【図５】本発明の第２実施例の抜栓式キャップの閉蓋時の断面立面図である。
【図６】中栓キャップの開蓋時の断面立面図である。
【発明を実施するための形態】
【００１５】
次に、本発明の抜栓式キャップについて、実施例をあげ、図面を参照して説明する。
【実施例１】
【００１６】
図１において、Ａは容器の口筒部に打栓されるキャップ本体、Ｂはキャップ本体ＡにヒンジＣを介して一体成形された蓋体である。
【００１７】
キャップ本体Ａは、図１、２に示すように、口筒部に装着される装着部１と、容器内の内容液を注出する注出部２とからなっている。
【００１８】
装着部１は、内周が口筒部外周と嵌合するとともに、外周上部の所定の位置にヒンジＣが連設される外周壁部３と、外周壁部３の上端内周に連設されるリング状の上壁部４と、上壁部４の上面に立設された蓋係合筒部５と、上壁部４の下面に垂設され、外周が容器口部内周に係合する係合内筒６とを具えている。
【００１９】
注出部２は、上壁部４の内縁に連設される注出筒７と、注出筒７の内周に連設される隔壁８とを具えている。
【００２０】
隔壁８には、破断可能な薄肉の弱化部９により注出口を開口する除去部１０が設けられており、除去部１０の上面のヒンジＣ側には、開口時に除去部１０を引上げる支柱１１が立設され、支柱１１の上部内方には、環を縦方向に立てた状態の上下に変形可能な縦型プルリング１２が連設されている。
【００２１】
縦型プルリング１２は、環のほぼ半分が注出筒７の上方に出ているように形成され、環内面には、複数の滑り止め突起１３が配設されている。
【００２２】
蓋体Ｂは、頂壁１５と、外周壁１６と、閉蓋時にキャップ本体Ａの注出筒２の内周と外周が係合する密封筒１７とからなっている。
外周壁１６には、内周端部に、キャップ本体Ａの蓋係合筒部５外周と係合する係合部１８が設けられており、外周端の所定の位置に、ヒンジＣが連設されている。
【００２３】
次に、本実施例の抜栓式キャップの作用効果について説明する。
蓋体Ｂを閉蓋する際には、蓋体ＢをヒンジＣを支点に廻動させ、キャップ本体Ａの装着部１の蓋係合筒部５の外周と、蓋体Ｂの外周壁１６の係合部１８とを係合させることで、図３に示すように、閉蓋状態とし、かつ、閉蓋状態を維持させる。
【００２４】
蓋体Ｂの閉蓋方向に廻動中に、蓋体Ｂの頂壁１５下面が、キャップ本体Ａの注出部２の縦型プルリング１２の上部外周に当接するが、縦型プルリング１２は、上下に変形可能であるため、上部Ｂの廻動に合わせて縦型プルリング１２が押下げられ、変形させられるので、閉蓋の支障とならない。
【００２５】
抜栓式キャップを開栓する際には、まず、蓋体Ｂを開蓋する。
その際、キャップ本体Ａの縦型プルリング１２に対する蓋体Ｂの頂壁１５下面の押下げ力が解除され、縦型プルリング１２が復元される。
また、縦型プルリング１２の復元力により、蓋体Ｂの下面を押し上げるので、開蓋方向に力を付勢することができる。
【００２６】
図１に示すように、蓋体Ｂを開蓋した後は、キャップ本体Ａの復元した縦型プルリング１２に、横方向から指などを掛け、引っ張る。
縦型プルリング１２を上方に引っ張ると、支柱１１を介して隔壁８の除去部１０のヒンジＣ側が引上げられ、弱化部９をヒンジＣ側から破断させていく。
【００２７】
縦型プルリング１２は、環のほぼ半分が注出筒７の上方に出ているので、横方向から指などを入れ易くなっている。
また、指を掛けて引っ張る際にも、横方向から入れ、そのまま引っ張ることができるので、従来のプルリングに上方から指を入れ、指をかぎ状にして引っ掛け、引っ張るものよりも、簡単に指を掛け、引っ張ることができる。
【００２８】
従来の上方から指を入れるプルリングは、下に隔壁があるために深く指を入れられなかったが、本発明の縦型プルリング１２では、指を横方向から入れ、そのまま奥まで入れられるので、引っ張る際のリングに対する指の当接面が大きく、リングの一部分に力が集中してリングが伸びることを防止することができる。
【００２９】
縦型プルリング１２の環内面に、複数の滑り止め突起１３が配設されているので、指の掛かりがよくなっている。
また、縦型プルリング１２が変形可能であるので、指を掛けて引っ張った際に変形し、さらに指の掛かりがよくなる。
【００３０】
最後は、弱化部９が完全に破断されて除去部１０が隔壁８から除去されることで、隔壁８に開口が開栓され、容器内の内容液を注出筒を介して注出することができる。
【００３１】
上記実施例では、縦型プルリング１２の環の横切断面形状は、実施例に明記されていないが、横方向から指などを入れ易くなっていればよいので、環の横切断面形状として、円形や、楕円形や、半円形、略三角形などでもよい。
また、縦型プルリング１２の押下げ前の横から見た形状を、円形としているが、縦型プルリング１２の環の一部が注出筒７の上方に出て、横方向から指などを入れ易くなっていればよいので、形状として、楕円形や、上を凸とする半円形や、略三角形や、台形などでもよく、縦型プルリング１２の環の横方向から見た形状は、上記実施例の形態に限定されない。
【００３２】
次に、上記実施例のキャップ本体の隔壁の除去部と縦型プルリングを連設する支柱の変形実施例について説明する。
上記実施例では、キャップ本体Ａの隔壁８の除去部１０の支柱１１を、ヒンジＣ側に設けたが、変形実施例では、図４に示すように、キャップ本体Ａの隔壁８の縦型プルリング１２を連設する支柱２０が、除去部２１のほぼ中央付近からヒンジＣ側まで幅広に太く形成されている。
【００３３】
従来のプルリングでは、上方からリングに指を入れる際に、支柱が太いと、支柱に指が当たり、邪魔であったり、指が入らなくなるということがあったが、本発明では、縦型プルリング１２に指を横方向から入れられるので、支柱２０が太くしてあっても、リングに指を掛けることに支障がない。
【００３４】
支柱２０を太くしたことによって、引っ張っている途中で支柱が切れてしまうということを防止することができる。
また、支柱２０を太くしたことによって、除去部２１に掛かる引っ張り力が分散されるので、細い支柱のものに比べ、徐々に弱化部９を切断していくことができ、開封した際に、内容液が飛び跳ねることを防止することができる。
【実施例２】
【００３５】
次に、第１実施例の抜栓式キャップの全体的構成を変えた第２実施例について、説明する。
本実施例の第１実施例と同一の構成部分には、同一の符号を付して図示して詳しい説明を省略し、相違点を中心に説明する。
【００３６】
図５において、Ｄは容器本体、Ｅは容器本体Ｄの口筒部に装着される中栓キャップ、Ｆは容器内を密封する外キャップである。
【００３７】
容器本体Ｄの口筒部２５には、上部外周に、係合突条２６が設けられ、その下方にネックリング２７が設けられている。
【００３８】
図５、６に示すように、中栓キャップＥは、容器本体Ｄの口筒部２５に装着されるキャップ本体Ｅ１と、キャップ本体Ｅ１と係合して開閉蓋する上キャップＥ２とからなっており、キャップ本体Ｅ１と上キャップＥ２とは、ヒンジＥ３を介して連設されている。
【００３９】
キャップ本体Ｅ１は、注出筒３０と、注出筒３０の下端内周に連設される隔壁３１と、注出筒３０の中間部外周に連設される上壁３２と、上壁３２の外縁下面に垂設される外筒３３とを具えている。
注出筒３０の外周上部には、上キャップＥ２と係合する係止部３４が設けられ、外筒３３の内周下部には、容器本体Ｄの口筒部２５の係合突条２６と係合する係合部３５が設けられている。
【００４０】
隔壁３１には、破断可能な薄肉の弱化部３６により注出口を開口する除去部３７が設けられており、除去部３７の上面のヒンジＥ３側には、開口時に除去部３７を引上げる支柱１１が立設され、支柱１１の上部内方には、環を縦方向に立てた状態の上下に変形可能な縦型プルリング１２が連設されている。
【００４１】
縦型プルリング１２は、環のほぼ半分が注出筒３０の上方に出ているように形成され、環内面には、複数の滑り止め突起１３が配設されている。
【００４２】
上キャップＥ２は、注出筒４０と、注出筒４０下端外周に連設された上壁４１と、上壁４１下面に垂設され、外周がキャップ本体Ｅ１の注出筒３０内周に係合する密封筒４２と、上壁４１外縁に垂設され、内周がキャップ本体Ｅ１の注出筒３０外周に係合する係合筒４３とを具えている。
係合筒４３の内周には、注出筒３０外周の係止部３４と係合する係止突部４４が設けられている。
【００４３】
図５に示すように、外キャップＦは、頂壁４５と、頂壁４５外縁に垂設され、内周下部が容器本体Ｄの胴部に係合する外周壁４６と、頂壁４５の下面に配設され、外周が上キャップＥ２の注出筒４０の内周に係合する密封筒４７とを具えている。
外周壁４６の内方の所定の位置には、頂壁４５から延び、閉蓋時に内方下端部が容器本体Ｄのネックリング２７外周に係合する係止リブ４８が設けられている。
【００４４】
次に、本実施例の容器の作用効果について説明する。
本実施例の容器の組立は、上キャップＥ２をキャップ本体Ｅ１に閉蓋した中栓キャップＥを、容器本体Ｄの口筒部２５に装着した後、容器本体Ｄに外キャップＦを装着して閉蓋する。
【００４５】
上キャップＥ２を閉蓋する際には、上キャップＥ２をヒンジＥ３を支点に廻動させ、キャップ本体Ｅ１の注出筒３０の外周上部と、上キャップＥ２の係合筒４３の内周とを係合させることで、閉蓋状態とし、かつ、閉蓋状態を維持させる。
【００４６】
上キャップＥ２の閉蓋方向への廻動時に、上キャップＥ２の上壁４１下面が、キャップ本体Ｅ１の隔壁３１の縦型プルリング１２の上部外周に当接するが、縦型プルリング１２は、上下に変形可能であるため、上キャップＥ２の廻動に合わせて縦型プルリング１２が押下げられ、変形させられるので、閉蓋の支障とならない。
【００４７】
容器の使用にあたっては、まず、外キャップＦを容器本体Ｄおよび中栓キャップＥから外した後、図６に示すように、中栓キャップＥのキャップ本体Ｅ１の上部から上キャップＥ２を開蓋する。
【００４８】
その際、キャップ本体Ｅ１の縦型プルリング１２に対する上キャップＥ２の上壁４１下面の押下げ力が解除され、縦型プルリング１２が復元される。
また、縦型プルリング１２の復元力により、蓋体Ｂの下面を押し上げるので、開蓋方向に力を付勢することができる。
【００４９】
上キャップＥ２を開蓋した後は、キャップ本体Ｅ１の復元により、環のほぼ半分が注出筒３０の上方に出ている縦型プルリング１２に、横方向から指などを掛け、引っ張り、支柱１１を介して隔壁３１の除去部３７を引上げ、弱化部３６を破断させていく。
【００５０】
弱化部３６は完全に破断して除去部３７を除去し、隔壁３１を開口した後、キャップ本体Ｅ１に上キャップＥ２を閉蓋する。
【００５１】
内容液の注出にあたっては、容器を傾け、キャップ本体Ｅ１の隔壁３１から上キャップＥ２内に出た液を、上キャップＥ２の注出筒４０より注出する。
また、上キャップＥ２をキャップ本体Ｅ１から外し、キャップ本体Ｅ１の注出筒３０内周を通じて注出することもできる。
【００５２】
抜栓後には、キャップ本体Ｅ１に上キャップＥ２を被嵌し、その上から、外キャップＦを装着し、閉蓋する。
その際、外キャップＦの密封筒４７が上キャップＥ２の注出筒４０の内周に挿入され、容器内を密封することができる。
その他の作用効果は、実施例１と同じである。
また、実施例１の変形実施例の構成を採用してもよい。
【００５３】
上記各実施例では、キャップ本体の隔壁に弱化部を介して形成する除去部のヒンジ側に、縦型プルリングを連設する支柱を設けたが、縦型プルリングを引っ張って除去部を抜栓できればよいので、縦型プルリングを連設する支柱を連設する除去部の位置は、除去部内であれば、どの方向でもかまわない。
したがって、縦型プルリングを連設する支柱を連設する除去部の位置は、上記各実施例の形態に限定されない。
【００５４】
上記各実施例では、キャップ本体と、蓋体または上キャップとをヒンジを介して連設したキャップとしたが、別に、ヒンジを介して連設したものではなく、隔壁を具えるキャップ本体または中栓と、それに、嵌着や螺着などで装着または被嵌する蓋体または上キャップなどのようにそれぞれが独立したものでもよい。
したがって、縦型プルリングを設けた隔壁を具えるキャップまたは中栓と、それに装着または被嵌する構成は、上記各実施例の形態に限定されない。
【産業上の利用可能性】
【００５５】
本発明は、隔壁を具えるキャップ本体または中栓において、隔壁を開口する除去部に、支柱を介して、環を縦方向に立てた状態の上下に変形可能な縦型プルリングを設け、縦型プルリングに指を横方向から引っ掛けることで簡単かつ確実に引っ張り、隔壁を抜栓することができるので、各種の抜栓式キャップまたは中栓のプルリングとして広く利用することができる。
【符号の説明】
【００５６】
Ａ、Ｅ１    キャップ本体
Ｂ          蓋体
Ｃ、Ｅ３    ヒンジ
Ｄ          容器本体
Ｅ          中栓キャップ
Ｅ２        上キャップ
Ｆ          外キャップ
１          装着部
２          注出部
３          外周壁部
４          上壁部
５          蓋係合筒部
６          係合内筒
７、３０、４０    注出筒
８、３１    隔壁
９、３６    弱化部
１０、２１、３７  除去部
１１、２０  支柱
１２        縦型プルリング
１３        滑り止め突起
１５、４５  頂壁
１６、４６  外周壁
１７、４２、４７  密封筒
１８、３５  係合部
２５        口筒部
２６        係合突条
２７        ネックリング
３２、４１  上壁部
３３        外筒
３４        係止部
３５        係合部
４３        係合筒
４４        係合突部
４８        係止リブ
【図１】
0005704865.tif 000002
【図２】
0005704865.tif 000003
【図３】
0005704865.tif 000004
【図４】
0005704865.tif 000005
【図５】
0005704865.tif 000006
【図６】
0005704865.tif 000007